(57)【要約】【課題】発光ダイオードランプを提供する。【解決手段】発光ダイオードランプは、バックプレートと、前記バックプレートに固定される少なくとも一つのカバー体と、前記バックプレートに配置され、且つ、一部が前記バックプレートと前記カバー体との間に挟まれる導光板と、前記バックライトに配置され、且つ、前記バックプレートと前記カバー体との間に挟まれる少なくとも一つの磁性部品と、前記導光板の側辺に配置される発光ダイオード光源と、を含む。【選択図】図３
2012079686.tif 000002
【特許請求の範囲】
【請求項１】
発光ダイオードランプであって、
バックプレートと、
前記バックプレートに固定される少なくとも一つのカバー体と、
前記バックプレートに配置され、且つ、一部が前記バックプレートと前記カバー体との間に挟まれる導光板と、
前記バックライトに配置され、且つ、前記バックプレートと前記カバー体との間に挟まれる少なくとも一つの磁性部品と、
前記導光板の側辺に配置される発光ダイオード光源と、
を含む、発光ダイオードランプ。
【請求項２】
前記バックプレートは、貫通孔を有し、前記磁性部品の一部は、前記貫通孔を通り抜けて前記バックプレートの外に露出する、
請求項１に記載の発光ダイオードランプ。
【請求項３】
前記磁性部品は、接続する本体及び延伸部を含み、前記本体の外径は、前記貫通孔の孔径より大きく、前記延伸部は、前記貫通孔を通り抜けて前記バックプレートの外に露出する、
請求項２に記載の発光ダイオードランプ。
【請求項４】
前記磁性部品は、永久磁石である、
請求項１に記載の発光ダイオードランプ。
【請求項５】
光学フィルムをさらに含み、前記光学フィルムは、前記導光板上に積み重ねられ、前記導光板と共に前記バックプレートと前記カバー体との間に挟まれる、
請求項１に記載の発光ダイオードランプ。
【請求項６】
前記カバー体及び前記磁性部品の数は共に二つであり、前記二つのカバー体は、それぞれ、前記バックプレートの両端に固定され、且つ、前記磁性部品の各々は、前記バックプレートと、対応する前記カバー体との間に挟まれる、
請求項１に記載の発光ダイオードランプ。
【請求項７】
前記導光板は、二つの凸耳を有し、前記二つの凸耳は、それぞれ、前記導光板の両端から外へ延伸し、前記二つの凸耳の各々は、前記バックプレートと、対応する前記カバー体との間に挟まれる、
請求項１に記載の発光ダイオードランプ。
【請求項８】
電源ソケットをさらに含み、前記電源ソケットは、前記バックプレートと前記カバー体との間に配置され、前記カバー体は、前記バックプレートに面する表面に位置限定溝を有し、前記電源ソケットは、前記位置限定溝内に位置限定される、
請求項１に記載の発光ダイオードランプ。
【請求項９】
前記カバー体は、前記電源ソケットを露出するための開孔を有する、
請求項８に記載の発光ダイオードランプ。
【請求項１０】
前記カバー体は、少なくとも一つの凸起部を有し、前記バックプレートは、少なくとも一つの固定孔を有し、前記凸起部は、前記固定孔に挿入し、前記カバー体と前記バックプレートとの相対位置を固定させる、
請求項１に記載の発光ダイオードランプ。
【請求項１１】
前記バックプレートは、第一ロック孔を有し、前記カバー体は、前記第一ロック孔に位置対応する第二ロック孔を有する、
請求項１に記載の発光ダイオードランプ。
【発明の詳細な説明】
【技術分野】
【０００１】
本発明は、ランプに関し、特に、発光ダイオードランプに関する。
【背景技術】
【０００２】
発光ダイオード（ＬＥＤ）が半導体素子に属し、その発光チップの材料は、主にＩＩＩ−Ｖ族元素の化合物、例えば、ＧａＰ又はＧａＡｓを使用し、また、その発光原理は、電気エネルギーを光エネルギーに転換することである。具体的に言えば、発光ダイオードは、化合物半導体に電流を印加することにより、電子と正孔との結合で過剰のエネルギーを光の形式を以って釈放する。発光ダイオードの発光現象は、加熱又は加電によるものでないので、発光ダイオードの寿命は、十万時間以上に達する。また、発光ダイオードは、レスポンスの速度が速く、体積が小さく、電力消耗が少なく、汚染が低く、信頼性が高く、量産に適するなどの利点があるので、幅広い分野、例えば、大型看板、交通信号機、携帯電話、スキャナー、ファックス機の光源、及び平面ランプなどに応用され得る。
【０００３】
平面ランプを例として言えば、現在、平面ランプの取り付けは、ネジで台座を壁面に固定してから平面ランプを台座に取り付ける方式、或いは、ネジを直接利用してランプ板を壁面に固定し取り付けの効果を達成する方式を採用するので、取り付ける時に手間及び時間がかかり、且つ、取り付け品が欠けている時に取り付けることができない恐れがある。特許文献１には、配置される磁石を利用して金属表面を吸着する照明器具が開示されている。また、特許文献２には、磁性接続器を有するエッジライト型照明装置が開示されている。
【先行技術文献】
【特許文献】
【０００４】
【特許文献１】台湾特許第Ｍ３８６４３７号
【特許文献２】米国特許第７７６６５０２号
【発明の概要】
【発明が解決しようとする課題】
【０００５】
本発明の目的は、取り付けやすいとの利点を有する発光ダイオードランプを提供することにある。
【０００６】
本発明の他の目的と利点については、本発明に開示される技術的特徴から更なる理解を得ることができる。
【課題を解決するための手段】
【０００７】
上述の一又は部分又は全部の目的若しくは他の目的を達成するために、本発明の一実施例は、発光ダイオードランプを提供する。発光ダイオードランプは、バックプレートと、少なくとも一つのカバー体と、導光板と、少なくとも一つの磁性部品と、発光ダイオード光源とを含む。カバー体は、バックプレートに固定される。導光板は、バックプレートに配置され、且つ、一部の導光板は、バックプレートとカバー体との間に挟まれる。磁性部品は、バックプレートに配置され、且つ、磁性部品は、バックプレートとカバー体との間に挟まれる。発光ダイオード光源は、導光板の側辺に配置される。
【発明の効果】
【０００８】
上述により、本発明の上述の実施例では、発光ダイオードランプは、磁性部品により表面に固定されることができ、ネジでの固定方式を以って取り付けることを要しないので、取り付け及び分解の利便性を向上することができる。また、磁性部品を固定するためのカバー体は、導光板を固定する機能を同時に兼備するので、構造全体をさらに安定させ、また、部材の構成を簡素化させることができる。
【図面の簡単な説明】
【０００９】
【図１】本発明の一実施例による発光ダイオードランプの斜視図である。
【図２】図１における発光ダイオードランプの分解図である。
【図３】図１における発光ダイオードランプの局部分解図である。
【図４】図１における発光ダイオードランプが表面に固定される様子を示す図である。
【図５】図１における発光ダイオードランプの他の視角における斜視図である。
【図６】図２における磁性部品の側視図である。
【図７】図１におけるカバー体の斜視図である。
【図８】本発明の他の実施例による発光ダイオードランプの斜視図である。
【図９】図８における発光ダイオードランプの他の視角における斜視図である。
【発明を実施するための形態】
【００１０】
次に、添付した図面を参照しながら、本発明の好適な実施形態を詳細に説明する。
【００１１】
なお、次の各実施例の説明は、添付した図面を参照して行われたものであり、本発明の実施可能な特定の実施例を例示するために用いられる。また、次の各実施例に言及した方向の用語、例えば、上、下、前、後、左、右などは、添付した図面の方向を参考するためのもののみである。よって、以下に使用された方向の用語は、説明のために用いられ、本発明を限定するためのものでない。
【００１２】
図１は、本発明の一実施例による発光ダイオードランプの斜視図である。図２は、図１における発光ダイオードランプの分解図である。図３は、図１における発光ダイオードランプの局部分解図である。図１〜図３を参照する。本実施例の発光ダイオードランプ１００は、バックプレート１１０、カバー体１２０（図中には二つある）、導光板１３０、磁性部品１４０（図中には二つある）、及び、発光ダイオード光源１５０（図中には二つある）を含む。カバー体１２０は、バックプレート１１０に固定される。導光板１３０は、バックプレート１１０に配置され、且つ、一部の導光板１３０は、バックプレート１１０とカバー体１２０との間に挟まれる。磁性部品１４０は、バックプレート１１０に配置され、且つ、バックプレート１１０とカバー体１２０との間に挟まれる。発光ダイオード光源１５０は、導光板１３０の側辺に配置される。
【００１３】
図４は、図１における発光ダイオードランプが表面に固定される様子を示す図である。バックプレート１１０は、磁性部品１４０により表面５０に固定され、表面５０は、例えば、オフィスの仕切り板、金属表面、又は、磁性部品１４０と磁気吸着力を有する他の表面であっても良い。これにより、バックプレート１１０は、ネジでの固定方式を以って表面５０に取り付けることを要しないので、取り付け及び分解の利便性を向上することができる。また、磁性部品１４０を固定するためのカバー体１２０は、導光板１３０を固定する機能を同時に兼備するので、構造全体をさらに安定させ、また、部品の構成を簡素化させることができる。
【００１４】
図５は、図１における発光ダイオードランプの他の視角における斜視図である。図２及び図５を参照する。本実施例のバックプレート１１０は、貫通孔１１２を有し、一部の磁性部品１４０は、貫通孔１１２を通り抜けて表面５０に接触し、一部の磁性部品１４０は、バックプレート１１０の外に露出し、表面５０との間に比較的に強い磁気吸着力を有する。図６は、図２における磁性部品の側視図である。図６を参照する。さらに言えば、本実施例の磁性部品１４０は、例えば、永久磁石であり、且つ、接続する本体１４２及び延伸部１４４を含み、本体１４２の外径は、貫通孔１１２の孔径より大きく、これにより、本体１４２は、バックプレート１１０に当接し、且つ、延伸部１４４は、貫通孔１１２を通り抜けてバックプレート１１０の外に露出し、表面５０に接触する。
【００１５】
図２に示すように、本実施例では、二つのカバー体１２０は、それぞれ、バックプレート１１０の両端に固定され、且つ、各磁性部品１４０は、バックプレート１１０と、対応するカバー体１２０との間に挟まれる。二つの磁性部品１４０をそれぞれバックプレート１１０の両端に配置することにより、発光ダイオードランプ１００は、二つの磁性部品１４０の磁気吸着力で表面５０（図４に示される）にしっかり固定される。また、詳細に言えば、本実施例の導光板１３０は、二つの凸耳１３２を有し、二つの凸耳１３２は、それぞれ、導光板１３０の両端から外へ延伸し、各凸耳１３２は、バックプレート１１０と、対応するカバー体１２０との間に挟まれ、これにより、導光板１３０の位置は固定される。また、本実施例の発光ダイオードランプ１００は、さらに、光学フィルム１６０（図中には二つある）を含み、光学フィルム１６０は、導光板１３０上に積み重ねられ、導光板１３０と共にバックプレート１１０とカバー体１２０との間に挟まれる。
【００１６】
図７は、図１におけるカバー体の斜視図である。図３及び図７を参照する。本実施例では、発光ダイオードランプ１００は、さらに、電源ソケット１７０を含み、電源ソケット１７０は、バックプレート１１０とカバー体１２０との間に配置され、カバー体１２０は、バックプレートに面する表面において位置限定溝１２２及び開孔１２４を有する。カバー体１２０がバックプレート１１０に固定されて電源ソケット１７０を覆う時に、電源ソケット１７０は、位置限定溝１２２内に位置限定され、これにより、電源ソケット１７０の位置はさらに固定される。開孔１２４は、電源ソケット１７０を露出するためのものであり、これのより、電源ソケット１７０は、図２に示す電源装置６０に接続する。電源ソケット１７０の配置により、発光ダイオードランプ１００は、電源装置６０と分離可能になり、携帯されやすく及び包装されやすくなる。
【００１７】
図２及び図７を参照する。本実施例のカバー体１２０は、凸起部１２６（図中には二つある）及び第一ロック孔１２８を有し、バックプレート１１０は、固定孔１１４（図中には二つある）及び第二ラック孔１１６を有する。二つの凸起部１２６は、それぞれ、二つの固定孔１１４に挿入し、これにより、カバー体１２０とバックプレート１１０との相対位置は固定される。ロック部品７０を、第一ロック孔１２８を通過させて第二ロック孔１１６に挿入させることにより、カバー体１２０をバックプレート１１０に固定させることができる。
【００１８】
図８は、本発明の他の実施例による発光ダイオードランプの斜視図である。図９は、図８における発光ダイオードランプの他の視角における斜視図である。図８及び図９を参照する。本実施例の発光ダイオードランプ２００は、一つのカバー体２２０及び一つの磁性部品２４０だけを有しても良い。カバー体２２０は、磁性部品２４０をバックプレート２１０の一端に固定し、バックプレート２１０の他端は、一体成型の構造であっても良い。
【００１９】
以上述べたところを総合すれば、本発明の上述の実施例では、発光ダイオードランプは、磁性部品により表面に固定されることができ、ネジでの固定方式を以って取り付けることを要しないので、取り付け及び分解の利便性を向上することができる。また、磁性部品を固定するためのカバー体は、導光板を固定する機能を同時に兼備するので、構造全体をさらに安定させ、また、部材の構成を簡素化させることができる。さらに、カバー体とバックプレートとの間に、電源装置を接続するための電源ソケットを配置することにより、発光ダイオードランプは、電源装置と分離可能になり、携帯されやすく及び包装されやすくなる。
【００２０】
本発明は、上述した好適な実施例に基づいて以上のように開示されたが、上述した好適な実施例は、本発明を限定するためのものでなく、当業者は、本発明の精神と範囲を離脱しない限り、本発明に対して些細な変更と潤色を行うことができるので、本発明の保護範囲は、添付した特許請求の範囲に定まったものを基準とする。また、本発明の何れの実施例又は特許請求の範囲は、本発明に開示された全ての目的又は利点又は特徴を達成する必要がない。また、要約の部分と発明の名称は、文献の検索を助けるためのみのものであり、本発明の権利範囲を限定するものでない。
【符号の説明】
【００２１】
５０  表面
６０  電源装置
７０  ロック部品
１００、２００  発光ダイオードランプ
１１０、２１０  バックプレート
１１２  貫通孔
１１４  固定孔
１１６  第二ロック孔
１２０、２２０  カバー体
１２２  位置限定溝
１２４  開孔
１２６  凸起部
１２８  第一ロック孔
１３０  導光板
１３２  凸耳
１４０、２４０  磁性部品
１４２  本体
１４４  延伸部
１５０  発光ダイオード光源
１６０  光学フィルム
１７０  電源ソケット
【図１】
2012079686.tif 000003
【図２】
2012079686.tif 000004
【図３】
2012079686.tif 000005
【図４】
2012079686.tif 000006
【図５】
2012079686.tif 000007
【図６】
2012079686.tif 000008
【図７】
2012079686.tif 000009
【図８】
2012079686.tif 000010
【図９】
2012079686.tif 000011